(57)【要約】【課題】レセプタクルの接続端子における相互間距離をプリント基板を用いて拡張することなく、レセプタクルの接続端子を制御基板に電気的に接続できること。【解決手段】プラグ１０の接続部１０Ｐに接続されるインシュレータ部２２Ｔに配列されるコンタクトパッドを有するコンタクト端子２４ａｉおよび２６ａｉが、それぞれ、千鳥掛け状に配列されるもとで、コンタクト端子２４ａｉおよび２６ａｉがそれぞれアダプタ部１６におけるフレキシブル配線基板１８のコンタクトパッドに電気的に接続される接点部２４ｋｂ、２６ｋｂを有するもの。【選択図】図９
2008270179.tif 000002
【特許請求の範囲】
【請求項１】
柔軟なケーブルのコンタクトパッド群が接合される結合部を有するアダプタが着脱可能に接続されるアダプタ受け部と、
ＨＤＭＩ規格ケーブルに接続されるプラグの接続部が着脱可能に接続されるプラグ被接続部と、
前記プラグ被接続部に接続されたプラグの接続部に電気的に接続される第１の端子部と、該第１の端子部に対し一方向に偏倚して一体に形成され、前記アダプタ受け部に接続された前記ケーブルのコンタクトパッド群を構成するコンタクトパッドに電気的に接続される第２の端子部とを有する複数のコンタクト端子と、
固定手段を有し前記アダプタ受け部およびプラグ被接続部を支持する外郭部と、
を具備して構成されるＨＤＭＩ規格ケーブル用コネクタ。
【請求項２】
前記複数のコンタクト端子は、千鳥掛け状に配列されることを特徴とする請求項１記載のＨＤＭＩ規格ケーブル用コネクタ。
【請求項３】
前記固定手段は、取付け孔とされることを特徴とする請求項１記載のＨＤＭＩ規格ケーブル用コネクタ。
【請求項４】
前記アダプタ受け部および前記プラグ被接続部は、樹脂材料で一体に成形され、前記外郭部は、金属材料で成形されることを特徴とする請求項１記載のＨＤＭＩ規格ケーブル用コネクタ。
【請求項５】
柔軟なケーブルのコンタクトパッド群が直接的または間接的に着脱可能に接続されるケーブル接続部と、
ＨＤＭＩ規格ケーブルに接続されるプラグの接続部が着脱可能に接続されるプラグ被接続部と、
前記プラグ被接続部に接続されたプラグの接続部に電気的に接続される第１の端子部と、前記第１の端子部に一体に形成され、前記ケーブル接続部に接続された前記ケーブルのコンタクトパッド群を構成するコンタクトパッドに電気的に接続される第２の端子部とを有する複数のコンタクト端子と、
固定手段を有し前記ケーブル接続部およびプラグ被接続部を支持する外郭部と、
を具備して構成されるＨＤＭＩ規格ケーブル用コネクタ。
【請求項６】
前記ケーブル接続部には、前記第２の端子部に対し前記ケーブルのコンタクトパッド群を押圧する押圧面を有するスライダが、設けられていることを特徴とする請求項５記載のＨＤＭＩ規格ケーブル用コネクタ。
【発明の詳細な説明】
【技術分野】
【０００１】
本発明は、ＨＤＭＩ規格ケーブルのプラグが着脱可能に接続されるＨＤＭＩ規格ケーブル用コネクタに関する。
【背景技術】
【０００２】
ディジタルオーディオヴィジュアル機器（以下、ＡＶ機器ともいう）相互間の接続においては、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）規格に準拠したケーブルおよびコネクタが実用に供されている。このようなケーブルおよびコネクタにより接続される場合、非圧縮状態のディジタル映像および音声信号等が約１０Ｇｂｉｔ／ｓの転送速度（ケーブル１本あたり）で転送可能とされるのでＡＶ機器においてより高画質の映像等の記録再生が可能とされる。
【０００３】
ＡＶ機器、例えば、ディジタル式コントロールアンプとディスプレイ（テレビジョン受像機）との相互間、および、ディジタル式コントロールアンプとＤＶＤプレーヤとの相互間は、ＨＤＭＩ規格に準拠したケーブルおよびコネクタにより接続される場合がある。
【０００４】
このような場合、コネクタは、例えば、特許文献１にも示されるように、各ＡＶ機器内に所定のプリント基板（特許文献１においては、固定物４０）および機器の筐体を介して支持されている。
【０００５】
そのようなコネクタは、プリント基板上に配され、ケーブルの一端に一体に設けられるプラグの接続部が着脱可能とされるレセプタクルを含んで構成されている。そのレセプタクル内に設けられる接続端子における固定側端子部は、所定の位置にプリント基板上に半田付け固定されている。また、プラグの接続部が着脱されるレセプタクルにおけるプラグ接続部は、ＡＶ機器の筐体における所定位置に露出している。
【０００６】
【特許文献１】実用新案登録第３１１３０５６号公報
【発明の開示】
【発明が解決しようとする課題】
【０００７】
上述のようにコネクタにおけるレセプタクルがプリント基板を介してＡＶ機器の筐体内に実装される場合、特に、そのプリント基板を配置するための空間を確保するためにレセプタクルの配置位置が、ＡＶ機器の背面側等に限定される場合がある。しかし、レセプタクルの配置位置は、ＡＶ機器の筐体においてＡＶ機器の背面側に限定されることなく、例えば、前面側または側面側に配置することが要望される場合がある。このような場合、レセプタクルにおける設計上の配置の自由度を高めるためにそのようなプリント基板を利用することなく、レセプタクルを筐体に支持するとともに、レセプタクル内に設けられる接続端子の固定側端子をケーブルを介して制御用基板に直接的に配線することも考えられる。
【０００８】
しかしながら、ＨＤＭＩ規格（Ｖｅｒｓｉｏｎ  １．３）によれば、接続部において一列に配列されるコンタクトパッドの相互間距離は、０．４または０．５ｍｍとされるのでその相互間距離を拡張させることなく、ケーブルを介して接続端子の固定側端子にそれぞれ直接的に配線することが困難となる虞がある。
【０００９】
以上の問題点を考慮し、本発明は、ＨＤＭＩ規格ケーブルのプラグが着脱可能に接続されるＨＤＭＩ規格ケーブル用コネクタであって、レセプタクルの接続端子における相互間距離をプリント基板を用いて拡張することなく、レセプタクルの接続端子を制御基板に電気的に接続できるＨＤＭＩ規格ケーブル用コネクタを提供することを目的とする。
【課題を解決するための手段】
【００１０】
上述の目的を達成するために、本発明に係るＨＤＭＩ規格ケーブル用コネクタは、柔軟なケーブルのコンタクトパッド群が接合される結合部を有するアダプタが着脱可能に接続されるアダプタ受け部と、ＨＤＭＩ規格ケーブルに接続されるプラグの接続部が着脱可能に接続されるプラグ被接続部と、プラグ被接続部に接続されたプラグの接続部に電気的に接続される第１の端子部と、第１の端子部に対し一方向に偏倚して一体に形成され、アダプタ受け部に接続されたケーブルのコンタクトパッド群を構成するコンタクトパッドに電気的に接続される第２の端子部とを有する複数のコンタクト端子と、固定手段を有し前記アダプタ受け部およびプラグ被接続部を支持する外郭部と、を備えて構成される。
【発明の効果】
【００１１】
以上の説明から明らかなように、本発明に係るＨＤＭＩ規格ケーブル用コネクタによれば、柔軟なケーブルのコンタクトパッド群が接合される結合部を有するアダプタが着脱可能に接続されるアダプタ受け部と、ＨＤＭＩ規格ケーブルに接続されるプラグの接続部が着脱可能に接続されるプラグ被接続部と、複数のコンタクト端子とを備え、コンタクト端子は、プラグ被接続部に接続されたプラグの接続部に電気的に接続される第１の端子部と、第１の端子部に対し一方向に偏倚して一体に形成され、アダプタ受け部に接続されたケーブルのコンタクトパッド群を構成するコンタクトパッドに電気的に接続される第２の端子部とを有するのでレセプタクルの接続端子における相互間距離をプリント基板を用いて拡張することなく、レセプタクルの接続端子を制御基板に電気的に接続できる。
【発明を実施するための最良の形態】
【００１２】
図２は、本発明に係るＨＤＭＩ規格ケーブル用コネクタの第１実施例の構成を示す。
【００１３】
図２および後述される各実施例に示されるコネクタは、ＨＤＭＩ規格（Ｈｉｇｈ−Ｄｅｆｉｎｉｔｉｏｎ  Ｍｕｌｔｉｍｅｄｉａ  Ｉｎｔｅｒｆａｃｅ）（登録商標）（Ｖｅｒｓｉｏｎ  １．３）におけるＡ，Ｂタイプのいずれにも準拠し得るものとされる。
【００１４】
図２において、コネクタは、所謂、外部接続用コネクタとも言えるものであり、柔軟なケーブルとしてのフレキシブル配線基板１８の一端に接続されレセプタクル１４におけるアダプタハウジングに着脱可能とされるアダプタ部１６と、ＨＤＭＩ規格に準拠したケーブル１２の一端に接続されるプラグ１０の接続部１０Ｐが着脱可能に配されるプラグ接続部、および、プラグ１０とフレキシブル配線基板１８の一端とを電気的に接続するインシュレータ付アダプタハウジングを有するレセプタクル１４と、を含んで構成されている。
【００１５】
プラグ１０は、その一端部にケーブル１２の一端が接続され、他端部に接続部１０Ｐを有している。接続部１０Ｐは、その金属製シェルの内側に樹脂製のインシュレータ部を有している。インシュレータ部の内部の中央部には、後述のレセプタクル１４の接続部が嵌合されるスリット１０Ａが形成されている。そのスリットの周縁には、後述するコンタクト端子のコンタクトパッド部と当接されるコンタクトピン１０ＣＰａおよび１０ＣＰｂが、スリットを取り囲むように所定の均等の間隔で配置されている。
【００１６】
フレキシブル配線基板１８は、例えば、保護層に覆われた複数の導電層が絶縁性基材上の両面に形成された構成とされる。絶縁性基材は、例えば、厚さ５０μｍ程度の液晶ポリマー（ＬＣＰ）、ガラスエポキシ樹脂、ポリイミド（ＰＩ）、ポリエチレンテレフタレート（ＰＥＴ）、あるいは、ポリエーテルイミド（ＰＥＩ）で成形されている。保護層は、例えば、熱硬化型のレジスト層、あるいは、ポリイミドフィルムにより形成されている。フレキシブル配線基板１８における接続される一端には、コンタクトパッド群１８ＣＰが形成されている。コンタクトパッド群１８ＣＰを構成する各コンタクトパッドは、所定の間隔をもって互いに平行に形成されている。
【００１７】
アダプタ部１６は、例えば、樹脂材料で成形され、図２および図３に示されるように、フレキシブル配線基板１８のコンタクトパッド群１８ＣＰを結合する薄板状の結合部１６Ｓと、結合部１６Ｓの両端にそれぞれ一体に形成され後述のアダプタハウジング部の凹部に挿入される案内ピン１６ＫＡ，１６ＫＢと、案内ピン１６ＫＡ，１６ＫＢの一方の端部にそれぞれ一体に形成され、後述の一対のロックスプリング１６ＰＡの動作を制御する操作部１６Ａ、１６Ｂと、操作部１６Ａと操作部１６Ｂとを結合する板状部１６Ｃとを含んで構成されている。
【００１８】
結合部１６Ｓは、フレキシブル配線基板１８の接着剤塗布面が接着される接続面としての被接着面およびそれに相対向するフレキシブル配線基板１８の載置面を有している。接続端部としての結合部１６Ｓと板状部１６Ｃとの間には、結合されるフレキシブル配線基板１８の端部が通過する隙間が形成されている。板状部１６Ｃの両端は、それぞれ、操作部１６Ａ、１６Ｂの一端に連なる部分に一体に連結されている。
【００１９】
案内ピン１６ＫＡ，１６ＫＢは、互いに同一の構造を有するので案内ピン１６ＫＡについて説明し、案内ピン１６ＫＢについての説明を省略する。
【００２０】
尖頭状の端部を一方に有する案内ピン１６ＫＡは、その側面に、その内部に配されるロックスプリング１６ＰＡの爪部が貫通するスリットを有している。案内ピン１６ＫＡおよび操作部１６Ａの内側には、ロックスプリング収容部（不図示）が形成されている。そのロックスプリング収容部は、ロックスプリング１６ＰＡが挿入される開口端およびスリットを通じて外部に連通している。操作部１６Ａの一端は、案内ピン１６ＫＡの基部近傍に一体に形成され、一方、操作部１６Ａの他端は、その外周部が図２および図３において矢印が示す方向に押圧される場合、矢印が示す方向に移動可能に形成されている。
【００２１】
ロックスプリング収容部の内周面には、装着されたロックスプリング１６ＰＡの湾曲部に当接する押圧部が形成されている。その押圧部は、操作部１６Ａがロックスプリング１６ＰＡの湾曲部の弾性力に抗して図２および図３において矢印が示す方向に押圧操作される場合、ロックスプリング１６ＰＡの湾曲部および爪部を矢印の示す方向に移動させるように移動され、一方、操作部１６Ａにおける押圧操作が解放される場合、その押圧部は、ロックスプリング１６ＰＡの湾曲部の復元力により初期の状態に戻される。
【００２２】
上述のスリットには、ロックスプリング１６ＰＡの爪部の先端が外部に向けて突出している。ロックスプリング１６ＰＡは、ロックスプリング収容部に固定される固定部と、後述するアダプタハウジング部の凹部の内周部に形成される孔の周縁に選択的に係合される爪部と、弾性を有し固定部と爪部とを連結する湾曲部とを含んで構成されている。ロックスプリング１６ＰＡの爪部は、その湾曲部の移動に応じてスリットを介して突出する上述の孔の周縁に対する係合状態、または、ロックスプリング収容部内に引き込まれる非係合状態をとる。
【００２３】
レセプタクル１４は、プラグ１０の接続部１０Ｐが着脱可能に配されるプラグ接続部と、プラグ１０とフレキシブル配線基板１８の一端とを電気的に接続するインシュレータ付アダプタハウジングとを含んで構成されている。
【００２４】
プラグ接続部およびインシュレータ付アダプタハウジングの外郭部は、図３、図４および図５に示されるように、金属製のシェル部材２０により形成されている。シェル部材２０は、着脱されるプラグ１０の接続部１０Ｐを支持するプラグ支持部２０Ｐと、後述するインシュレータ付アダプタハウジング２２を支持するアダプタ支持部２０Ｒと、アダプタ支持部２０Ｒに連なって形成されるフランジ部２０Ｆとを含んで構成されている。
【００２５】
プラグ支持部２０Ｐは、図５に示されるように、プラグ１０の接続部１０Ｐの断面形状に対応した断面形状を有する筒状に形成されている。これにより、内側にプラグ１０の接続部１０Ｐの挿入口が形成されることとなる。プラグ支持部２０Ｐにおける上部および下部には、それぞれ、挿入されたプラグ１０の接続部１０Ｐを保持する弾性変位可能なグランド用接触片２０ＰＡおよび２０ＰＢ、ロック片２０ＰＬ（図７参照）がシェル部材２０と一体に形成されている。ロック片２０ＰＬの先端は、プラグ１０の接続部１０Ｐの挿入時、プラグ１０の接続部１０Ｐに形成される窪み（不図示）に係合するものとされる。また、グランド用接触片２０ＰＡおよび２０ＰＢの先端は、プラグ１０の接続部１０Ｐの挿入時、プラグ１０の接続部１０Ｐにおける金属製シェルに当接するものとされる。
【００２６】
プラグ支持部２０Ｐの内側の略中央には、図５および図７に示されるように、インシュレータ付アダプタハウジング２２における平坦な薄板状のインシュレータ部２２Ｔがプラグ支持部２０Ｐの開口端部に向けて突出している。
【００２７】
プラグ支持部２０Ｐに隣接して一体に門形に形成されるアダプタ支持部２０Ｒは、プラグ支持部２０Ｐの幅より大なる幅を有している。
【００２８】
従って、上述のプラグ接続部は、プラグ被接続部としてのインシュレータ部２２Ｔおよびシェル部材２０におけるプラグ支持部２０Ｐにより形成されることとなる。
【００２９】
また、アダプタ支持部２０Ｒの両側部には、それぞれ、アダプタ部１６が装着されるとき、図６に示されるように、上述のロックスプリング１６ＰＡの爪部が選択的に係止されるロック孔２０ｈが形成されている。
【００３０】
アダプタ支持部２０Ｒの両側部におけるロック孔２０ｈよりも下方の位置には、インシュレータ付アダプタハウジング２２を保持する爪部２０ｆｋの基端が開口部２０ｆｂの周縁に一体に形成されている。各爪部２０ｆｋは、インシュレータ付アダプタハウジング２２がアダプタ支持部２０Ｒの内側に組み付けられる以前は、図１に実線で示されるように、アダプタ支持部２０Ｒの側部に平行に形成されており、一方、図８に示されるように、インシュレータ付アダプタハウジング２２がアダプタ支持部２０Ｒの内側に組み付けられた後、各爪部２０ｆｋは、アダプタ支持部２０Ｒの側面部に対し略垂直となるように内側に向けて折り曲げられる。
【００３１】
これにより、インシュレータ付アダプタハウジング２２の各窪み２２ＣＡの周縁に各爪部２０ｆｋが係止されるのでインシュレータ付アダプタハウジング２２がアダプタ支持部２０Ｒの内側に保持されることとなる。
【００３２】
各フランジ部２０Ｆには、ＡＶ機器における所定位置にレセプタクル１４を固定するための小ネジが挿入される孔２０ｆａが形成されている。
【００３３】
各フランジ部２０Ｆが孔２０ｆａを介して小ネジにより、例えば、接地ラインに導通するＡＶ機器の筐体に固定される場合、静電気がプラグ支持部２０Ｐに印加されたとき、その静電気がシェル部材２０および筐体を通じて除去されることとなる。また、アダプタ支持部２０Ｒとプラグ支持部２０Ｐとは、同一の金属材料で一体に形成されているのでＥＭＩ特性に優れ、外部からのノイズを受け難い外部接続用コネクタを得ることができる。
【００３４】
インシュレータ付アダプタハウジング２２は、図１、図８および図９に拡大されて示されるように、樹脂材料で一体に成形され、一方の端面部に垂直にインシュレータ部２２Ｔを有している。薄板状のインシュレータ部２２Ｔにおける相対向する表面には、それぞれ、後述する各コンタクト端子のコンタクトパッドがそれぞれ配される浅く細長い溝２２ｔｇがプラグ１０の接続部１０Ｐの着脱方向に対して直交する方向に沿って所定の間隔で共通の平面上に複数個形成されている。各溝２２ｔｇの一端は、インシュレータ部２２Ｔの前端まで延在し、また、上面に形成される各溝２２ｔｇの他端は、後述する溝２２Ｇａｉ（図９参照）に連通し、さらに、下面に形成される各溝２２ｔｇの他端は、溝２２Ｇｂｉ（図９参照）に連通している。
【００３５】
一方の共通の平面上に形成される一つの溝２２ｔｇは、図５に示されるように、他方の共通の平面上に隣接して形成される二つの溝２２ｔｇの相互間に対向するように形成されている。
【００３６】
例えば、樹脂材料で一体に成形されるインシュレータ付アダプタハウジング２２は、図８に示されるように、他方の端面部に開口するアダプタ受け部２２Ｈを有している。アダプタ受け部２２Ｈは、上述のアダプタ部１６の結合部１６Ｓが挿入される部分２２ＫＣと、案内ピン１６ＫＡ、１６ＫＢがそれぞれ挿入される部分２２ＫＡおよび２２ＫＢとからなる。
【００３７】
アダプタ受け部２２Ｈの下方の位置には、アダプタ部１６の結合部１６Ｓを支持するスペーサ２８が嵌合される凹部２２Ａが形成されている。凹部２２Ａの下端には、開口部２２ａが形成されている。スペーサ２８が凹部２２Ａに嵌合される場合、結合部１６Ｓが載置されるスペーサ２８の支持面は、図８に示されるように、部分２２ＫＡおよび２２ＫＢを形成する内面と共通の平面上にある。
【００３８】
部分２２ＫＣにおける終端面には、図９に拡大されて示されるように、後述するコンタクト端子２４ａｉ（ｉ＝１〜ｎ，ｎは正の整数）およびコンタクト端子２６ａｉ（ｉ＝１〜ｎ，ｎは正の整数）の固定部がそれぞれ圧入される溝２２Ｇａｉ、２２Ｇｂｉ（ｉ＝１〜ｎ，ｎは正の整数）の一端が開口している。各溝２２Ｇａｉ、２２Ｇｂｉは、上述の溝２２ｔｇに対し略平行に形成されている。共通の平面上に一列状に配される溝２２Ｇａｉの配列は、共通の平面上に一列状に配される溝２２Ｇｂｉの配列よりも上方に位置している。また、一つの溝２２Ｇｂｉは、隣接する溝２２Ｇａｉの相互間に向き合うように形成されており、即ち、各溝２２Ｇａｉ、２２Ｇｂｉは、所謂、千鳥掛け状に形成されている。
【００３９】
さらに、図９に拡大されて示されるように、部分２２ＫＣにおける終端面に連なるインシュレータ付アダプタハウジング２２の内側には、コンタクト端子２４ａｉ，２６ａｉの屈曲部および弾性片部が挿入される複数の溝２２Ｇｃｉ（ｉ＝１〜ｎ，ｎは正の整数）が各溝２２Ｇａｉ、２２Ｇｂｉに対応して共通の平面上に形成されている。その際、隣接する溝２２Ｇｃｉ相互間は、仕切壁２２Ｐｉ（ｉ＝１〜ｎ，ｎは正の整数）により仕切られている。これにより、各溝２２Ｇｃｉには、コンタクト端子２４ａｉ、２６ａｉの弾性片部２４ＫＣ、２６ＫＣが共通の平面上に交互に配置されることとなる。
【００４０】
コンタクト端子２４ａｉは、図１に拡大されて示されるように、例えば、りん青銅の薄板で作られ、インシュレータ付アダプタハウジング２２のインシュレータ部２２Ｔの上面に形成される溝２２ｔｇに挿入されるコンタクトパッド部２４ＰＣと、上述の溝２２Ｇｃｉに挿入される弾性片部２４ＫＣと、コンタクトパッド部２４ＰＣと弾性片部２４ＫＣとを連結する固定部２４Ｆとから構成される。
【００４１】
プラグ１０のコンタクトピン１０ＣＰａと当接するコンタクトパッド部２４ＰＣの先端は、インシュレータ部２２Ｔの端部に係合する折曲部２４ｂを有している。固定部２４Ｆは，コンタクトパッド部２４ＰＣの長手方向に延びる中心軸線と固定部２４Ｆの中心軸線とは一致するように一体に形成されている。
【００４２】
また、弾性片部２４ＫＣの一端を固定部２４Ｆに連結する屈曲部２４Ｕの一端は、図１において、固定部２４Ｆの中心軸線に対し左側に所定距離だけ偏倚して連結されている。屈曲部２４Ｕは、固定部２４Ｆの表面に対し略垂直に形成されている。
【００４３】
屈曲部２４Ｕの他端に連結される弾性片部２４ＫＣは、その先端が下方に向けて略Ｕ字形に折り曲げられている。その折り曲げられた部分の先端部分近傍には、フレキシブル配線基板１８のコンタクトパッド群１８ＣＰを構成する各コンタクトパッドに当接する接点部２４ｋｂが形成されている。
【００４４】
コンタクト端子２６ａｉは、図１に拡大されて示されるように、例えば、りん青銅の薄板で作られ、インシュレータ付アダプタハウジング２２のインシュレータ部２２Ｔの下面に形成される溝２２ｔｇに挿入されるコンタクトパッド部２６ＰＣと、上述の溝２２Ｇｃｉに挿入される弾性片部２６ＫＣと、コンタクトパッド部２６ＰＣと弾性片部２６ＫＣとを連結する固定部２６Ｆとから構成される。
【００４５】
プラグ１０のコンタクトピン１０ＣＰｂと当接するコンタクトパッド部２６ＰＣの先端は、インシュレータ部２２Ｔの端部に係合する折曲部２６ｂを有している。固定部２６Ｆは，コンタクトパッド部２６ＰＣの長手方向に延びる中心軸線と固定部２６Ｆの中心軸線とは一致するように一体に形成されている。
【００４６】
また、弾性片部２６ＫＣの一端を固定部２６Ｆに連結する屈曲部２６Ｕの一端は、図１において、固定部２６Ｆの中心軸線に対し左側に所定距離だけ偏倚して連結されている。屈曲部２６Ｕは、固定部２６Ｆの表面に対し略垂直に形成されている。屈曲部２６Ｕの長さは、コンタクト端子２４ａｉの屈曲部２４Ｕの長さに比して大に設定されている。
【００４７】
屈曲部２６Ｕの他端に連結される弾性片部２６ＫＣは、その先端が下方に向けて略Ｕ字形に折り曲げられている。その折り曲げられた部分の先端部分近傍には、フレキシブル配線基板１８のコンタクトパッド群１８ＣＰを構成する各コンタクトパッドに当接する接点部２６ｋｂが形成されている。
【００４８】
斯かる構成において、例えば、ＡＶ機器の内部に配されるレセプタクル１４におけるアダプタ受け部２２Ｈにアダプタ部１６を接続するにあたっては、操作部１６Ａおよび１６Ｂが図２に示される矢印の示す方向に、押圧されるとともに結合部１６Ｓがアダプタ受け部２２Ｈに挿入された後、操作部１６Ａおよび１６Ｂが解放される。これにより、ロックスプリング１６ＰＡの爪部が孔２０ｈの周縁に係止されるのでアダプタ部１６がレセプタクル１４に対しロック状態とされる。一方、アダプタ部１６を取り外すにあたっては、上述と同様に操作部１６Ａおよび１６Ｂが図２に示される矢印の示す方向に、押圧されるとともに結合部１６Ｓがアダプタ受け部２２Ｈから引き抜かれることにより、アダプタ部１６が取り外される。
【００４９】
また、例えば、ＡＶ機器の外周部に露出したプラグ接続部のインシュレータ部２２Ｔにプラグ１０の接続部１０Ｐを接続するにあたっては、図２および図３に示されるように、接続部１０Ｐのスリット１０Ａとインシュレータ部２２Ｔとが互いに相対向するように配された後、プラグ１０の接続部１０Ｐがプラグ支持部２０Ｐの内側に挿入されることにより、プラグ１０の接続部１０Ｐがインシュレータ部２２Ｔに接続される。その際、ロック片３０ＰＬが、それぞれ、接続部１０Ｐの窪み（不図示）に係合されることにより、プラグ１０の接続部１０Ｐがプラグ支持部２０Ｐにロック状態とされる。一方、プラグ１０の接続部１０Ｐを取り外すにあたっては、プラグ１０の接続部１０Ｐをインシュレータ部２２Ｔにからロック片３０ＰＬの弾性力に抗して引き抜くことにより、プラグ１０が容易に取り外される。
【００５０】
従って、ＡＶ機器の内部におけるいずれの場所にレセプタクル１４が配置される場合であっても、アダプタ部１６およびフレキシブル配線基板１８によってレセプタクル１４と所定の制御基板との距離に左右されることなく接続でき、その結果、レセプタクル１４における設計上の配置の自由度を向上させることができることとなる。
【００５１】
また、一般ユーザー等によるプラグ１０の取り扱いにおいて、例えば、プラグ１０のレセプタクル１４への誤挿入等により、レセプタクル１４の破損が発生した場合においても、従来のコネクタの修理のように、ＨＤＭＩ規格ケーブル用コネクタとそれが実装される基板とを同時に交換する必要がなく、しかも、レセプタクル１４単体の交換によって修理が容易に完了するのでメンテナンスにおける一般ユーザー等の負担が軽減されるとともに、廃棄部品数の減少にも繋がることとなる。
【００５２】
図１０および図１１は、それぞれ、本発明に係るＨＤＭＩ規格ケーブル用コネクタの第２実施例の構成を示す。
【００５３】
図２に示される例においては、アダプタ部１６は、フレキシブル配線基板１８の一端に接続されレセプタクル１４におけるインシュレータ付アダプタハウジング２２に対し着脱可能とされているが、図１０および図１１においては、アダプタ部１６は、細線同軸線群３８の一端に接続されレセプタクル１４におけるインシュレータ付アダプタハウジング２２に対し着脱可能とされる。
【００５４】
なお、図１０および図１１、および、後述する図１２においても、図２および図３に示される例において同一とされる構成要素について同一の符号を付して示し、その重複説明を省略する。
【００５５】
細線同軸線群３８を構成する各細線銅軸線の一端は、結合部１６Ｓに接続されている。
また、各細線銅軸線における結合部１６Ｓ近傍部分は、各素線を覆う被覆層の一部が除去され露出したグランド層に共通に跨がる２枚のグランドバー３８ＧＰ（図１１においては一方のグランドバー３８ＧＰのみ図示されている）により挟持されている。
【００５６】
図１２は、本発明に係るＨＤＭＩ規格ケーブル用コネクタの第３実施例の構成を示す。
【００５７】
図２に示される例においては、レセプタクル１４のシェル部材２０におけるフランジ部２０Ｆは、その孔２０ｆａがアダプタ支持部２０Ｒの上面に対し平行な平面上にあるように形成されているが、その代わりに、図１２に示される例では、シェル部材３０におけるフランジ部３０Ｆが、その孔３０ｆａがアダプタ支持部３０Ｒの上面に対し垂直な平面上にあるように形成されるものとされる。
【００５８】
レセプタクル３４は、プラグ１０の接続部１０Ｐが着脱可能に配されるプラグ接続部と、プラグ１０とフレキシブル配線基板１８の一端とを電気的に接続するインシュレータ付アダプタハウジングとを含んで構成されている。
【００５９】
プラグ接続部の外郭部は、図１２に示されるように、金属製のシェル部材３０により形成されている。シェル部材３０は、着脱されるプラグ１０の接続部１０Ｐを支持するプラグ支持部３０Ｐと、後述するインシュレータ付アダプタハウジング２２を支持するアダプタ支持部３０Ｒと、アダプタ支持部３０Ｒに連なって形成されるフランジ部３０Ｆとを含んで構成されている。
【００６０】
プラグ支持部３０Ｐは、プラグ１０の接続部１０Ｐの断面形状に対応した断面形状を有する筒状に形成されている。これにより、内側にプラグ１０の接続部１０Ｐの挿入口が形成されることとなる。プラグ支持部３０Ｐにおける上部および下部には、それぞれ、挿入されたプラグ１０の接続部１０Ｐを保持する弾性変位可能なグランド用接触片３０ＰＡおよび３０ＰＢ、ロック片３０ＰＬ（図１２参照）がシェル部材３０と一体に形成されている。ロック片３０ＰＬの先端は、プラグ１０の接続部１０Ｐの挿入時、プラグ１０の接続部１０Ｐに形成される窪み（不図示）に係合するものとされる。また、グランド用接触片３０ＰＡおよび３０ＰＢは、プラグ１０の接続部１０Ｐの挿入時、プラグ１０の接続部１０Ｐの金属製シェルに当接するものとされる。
【００６１】
プラグ支持部３０Ｐの内側には、上述のインシュレータ付アダプタハウジング２２が配されている。
【００６２】
プラグ支持部３０Ｐの内側の略中央には、インシュレータ付アダプタハウジング２２における平坦な薄板状のインシュレータ部２２Ｔがプラグ支持部３０Ｐの開口端部に向けて突出している。
【００６３】
プラグ支持部３０Ｐに隣接して一体に門形に形成されるアダプタ支持部３０Ｒは、プラグ支持部３０Ｐの幅より大なる幅を有している。
【００６４】
従って、上述のプラグ接続部は、インシュレータ部２２Ｔおよびシェル部材３０におけるプラグ支持部３０Ｐにより形成されることとなる。
【００６５】
また、アダプタ支持部３０Ｒの両側部には、それぞれ、アダプタ部１６が装着されるとき、上述のロックスプリング１６ＰＡの爪部が選択的に係止されるロック孔（不図示）が形成されている。
【００６６】
アダプタ支持部３０Ｒの両側部におけるそのロック孔よりも下方の位置には、インシュレータ付アダプタハウジング２２を保持する爪部（不図示）の基端が開口部の周縁に一体に形成されている。各爪部は、インシュレータ付アダプタハウジング２２がアダプタ支持部３０Ｒの内側に組み付けられる以前は、アダプタ支持部３０Ｒの側部に平行に形成されており、一方、インシュレータ付アダプタハウジング２２がアダプタ支持部３０Ｒの内側に組み付けられた後、各爪部は、アダプタ支持部３０Ｒの側面部に対し略垂直となるように内側に向けて折り曲げられる。
【００６７】
これにより、インシュレータ付アダプタハウジング２２の各窪み２２ＣＡの周縁に各爪部が係止されるのでインシュレータ付アダプタハウジング２２がアダプタ支持部３０Ｒの内側に保持されることとなる。
【００６８】
各フランジ部３０Ｆには、ＡＶ機器における所定位置にレセプタクル３４を固定するための小ネジが挿入される孔３０ｆａが形成されている。
【００６９】
なお、インシュレータ付アダプタハウジング２２の構成は、上述の例と同様とされる。
【００７０】
従って、本実施例においても、第１実施例と同様な作用効果を奏することとなる。
【００７１】
なお、上述の第１の実施例および第２の実施例において、スペーサ２８は、インシュレータ付アダプタハウジング２２内に固定されているが、斯かる例に限られることなく、例えば、スペーサ２８の形状と同様な形状を有する部材が、上述のアダプタ部１６の結合部１６Ｓと一体に形成されるとともに、スペーサ２８がインシュレータ付アダプタハウジング２２内に固定されない構成であってもよい。斯かる例においても、上述の例と同様な作用効果が奏される。
【００７２】
図１４は、本発明に係るＨＤＭＩ規格ケーブル用コネクタの第４実施例の構成を示す。
【００７３】
なお、後述する図１３、図１４乃至図２９においては、図２に示される例における構成要素と同一の構成要素について同一の符号を付して示し、その重複説明を省略する。
【００７４】
図１４に示されるコネクタは、ＨＤＭＩ規格（Ｈｉｇｈ−Ｄｅｆｉｎｉｔｉｏｎ  Ｍｕｌｔｉｍｅｄｉａ  Ｉｎｔｅｒｆａｃｅ）（登録商標）（Ｖｅｒｓｉｏｎ  １．３）におけるＣタイプに準拠し得るものとされる。
【００７５】
また、上述の第１実施例および第２実施例等は、フレキシブル配線基板１８の一端が、アダプタ部１６を介して間接的にレセプタクル１４のアダプタ受け部に着脱可能に接続されているが、その代わりに、第４実施例は、フレキシブル配線基板１８の一端が、直接的にレセプタクル４４のケーブル接続部に着脱可能に接続されるものとされる。
【００７６】
コネクタは、図示が省略されるＨＤＭＩ規格に準拠したケーブル（ミニケーブルとも呼称される）の一端に接続されるプラグの接続部（不図示）が着脱可能に配されるプラグ接続部、および、そのプラグとフレキシブル配線基板１８の一端とを電気的に接続するインシュレータ付ハウジングを有するレセプタクル４４と、フレキシブル配線基板１８の一端をインシュレータ付ハウジングのケーブル接続部に接続するロック状態、または、フレキシブル配線基板１８の一端を開放するアンロック状態をとるスライダ４８とを含んで構成されている。
【００７７】
レセプタクル４４は、プラグの接続部が着脱可能に配されるプラグ接続部と、プラグとフレキシブル配線基板１８の一端とを電気的に接続するインシュレータ付ハウジングとを含んで構成されている。
【００７８】
プラグ接続部およびインシュレータ付ハウジングの外郭部は、図１３、および、図１４に示されるように、金属製のシェル部材４０により形成されている。シェル部材４０は、着脱されるプラグの接続部を支持するプラグ支持部４０Ｐと、後述するインシュレータ付ハウジング４２を支持するハウジング支持部４０Ｒと、ハウジング支持部４０Ｒに連なって形成されるフランジ部４０Ｆとを含んで構成されている。
【００７９】
プラグ支持部４０Ｐは、図１８に示されるように、プラグの接続部の断面形状に対応した断面形状を有する筒状に形成されている。これにより、内側にプラグの接続部の挿入口が形成されることとなる。プラグ支持部４０Ｐにおける上部および下部には、それぞれ、挿入されたプラグの接続部を保持する弾性変位可能なグランド用接触片４０ＰＡおよび４０ＰＢ、ロック片４０ＰＬ（図１３参照）がシェル部材４０と一体に形成されている。ロック片４０ＰＬの先端は、プラグの接続部の挿入時、プラグの接続部に形成される窪みに係合するものとされる。また、グランド用接触片４０ＰＡおよび４０ＰＢの先端は、プラグの接続部の挿入時、プラグの接続部における金属製シェルに当接するものとされる。
【００８０】
プラグ支持部４０Ｐの内側の略中央には、インシュレータ付ハウジング４２における平坦な薄板状のインシュレータ部４２Ｔがプラグ支持部４０Ｐの開口端部に向けて突出している。
【００８１】
プラグ支持部４０Ｐに隣接して一体に門形に形成されるハウジング支持部４０Ｒは、プラグ支持部４０Ｐの幅より大なる幅を有している。
【００８２】
従って、上述のプラグ接続部は、プラグ被接続部としてのインシュレータ部４２Ｔおよびシェル部材４０におけるプラグ支持部４０Ｐにより形成されることとなる。
【００８３】
フランジ部４０Ｆは、ハウジング支持部４０Ｒの開口端面を含む共通の平面上にあるようにハウジング支持部４０Ｒの上面に対し垂直に折り曲げられている。フランジ部４０Ｆには、比較的小型のＡＶ機器、例えば、カムコーダにおける所定位置にレセプタクル４４を固定するための小ネジが挿入される孔４０ｆａが形成されている。
【００８４】
フランジ部４０Ｆが孔４０ｆａを介して小ネジにより、例えば、接地ラインに導通するＡＶ機器の筐体に固定される場合、静電気がプラグ支持部４０Ｐに印加されたとき、その静電気がシェル部材４０および筐体を通じて除去されることとなる。また、アダプタ支持部４０Ｒとプラグ支持部４０Ｐとは、同一の金属材料で一体に形成されているのでＥＭＩ特性に優れ、外部からのノイズを受け難い外部接続用コネクタを得ることができる。
【００８５】
インシュレータ付ハウジング４２は、図２１、および、図２２に拡大されて示されるように、樹脂材料で一体に成形され、一方の端面部に垂直にインシュレータ部４２Ｔを有している。薄板状のインシュレータ部４２Ｔにおける下面、即ち、上述のロック片４０ＰＬに向かい合う面には、後述する各コンタクト端子のコンタクトパッドがそれぞれ配される浅く細長い溝４２ｔｇが上述のプラグの接続部の着脱方向に対して直交する方向に沿って所定の間隔で共通の平面上に複数個形成されている。各溝４２ｔｇの一端は、インシュレータ部４２Ｔの前端まで延在し、また、各溝４２ｔｇの他端は、後述する溝４２Ｇａｉ（図２３参照）に連通している。
【００８６】
インシュレータ付ハウジング４２におけるインシュレータ部４２Ｔの下方部分には、図２２に示されるように、上述のプラグの接続部の台形状の外周部分を案内する一対の案内面４２ＧＡおよび４２ＧＢが底面部の両端に形成されている。また、上述の溝４２Ｇａｉの真下には、底面部と共通の平面上であって底面部に連通する結合用穴４２Ｋが形成されている。結合用穴４２Ｋには、図２９に示されるように、プラグ支持部４０Ｐにおけるロック片４０ＰＬが形成される部分の端部が挿入される。これにより、インシュレータ付ハウジング４２がシェル部材４０に結合される。
【００８７】
例えば、樹脂材料で一体に成形されるインシュレータ付ハウジング４２は、図２３に示されるように、他方の端面部に開口するケーブル接続部４２Ａを有している。
【００８８】
ケーブル接続部４２Ａの内周部における終端面４２ＴＳには、図１９および図２３に拡大されて示されるように、後述するコンタクト端子４６ａｉ（ｉ＝１〜ｎ，ｎは正の整数）の固定部がそれぞれ圧入される溝４２Ｇａｉ（ｉ＝１〜ｎ，ｎは正の整数）の一端が開口している。各溝４２Ｇａｉは、上述の溝４２ｔｇに対し連通して形成されている。従って、溝４２Ｇａｉの配列は、溝４２ｔｇが形成される面と共通の平面上に一列状に配されている。
【００８９】
ケーブル接続部４２Ａには、スライダ４８が摺動可能に配されている。スライダ４８は、図２４乃至図２７に拡大されて示されるように、その中央部にフレキシブル配線基板１８の一端を後述するコンタクト端子４６ａｉの接点部４６Ｋｂに向けて押圧する押圧面４８ＰＳを有する押圧部４８Ｐを備えている。押圧部４８Ｐの両脇には、それぞれ、所定の間隔をもって爪部４８ＧＰＡおよび４８ＧＰＢが形成されている。爪部４８ＧＰＡおよび４８ＧＰＢにおける先端部よりも基端側には、突起部４８Ｇａ，４８Ｇｂが形成されている。スライダ４８がアンロック状態のとき、図２０に示されるように、爪部４８ＧＰＡおよび４８ＧＰＢは、後述するロック片部４２ＮＡおよび４２ＮＢの先端部に係止される。
【００９０】
また、操作部４８Ｆが、爪部４８ＧＰＡと押圧部４８Ｐとの結合部分、および、爪部４８ＧＰＢと押圧部４８Ｐとの結合部分からそれぞれ、側方に突出している。所定距離、離隔して形成される操作部４８Ｆ相互間には、図１５に示されるように、ケーブル接続部４２Ａの開口端部が通過する切欠部４８ｆａが形成されている。
【００９１】
さらに、図２３に示されるように、終端面４２ＴＳに連なるインシュレータ付ハウジング４２の内側には、コンタクト端子４６ａｉの屈曲部および弾性片部が挿入される複数の溝４２Ｓａｉ（ｉ＝１〜ｎ，ｎは正の整数）が、各溝４２Ｇａｉに対応してケーブル接続部４２Ａの底部を形成する底壁部に所定の相互間隔で形成されている。その際、隣接する溝４２Ｓａｉ相互間は、仕切壁により仕切られている。これにより、各溝４２Ｓａｉには、コンタクト端子４６ａｉの弾性片部が共通の平面上に配置されることとなる。
【００９２】
また、ケーブル接続部４２Ａの内周部には、スライダ４８の押圧部４８Ｐの両側部をそれぞれ案内する案内壁４２ａが形成されている。各案内壁４２ａとシェル部材４０のハウジング部４０Ｒとの間には、それぞれ、ロック片部４２ＮＡおよび４２ＮＢが弾性変位可能に一体に形成されている。ロック片部４２ＮＡおよび４２ＮＢの先端部の相互間距離は、上述のスライダ４８の爪部４８ＧＰＡおよび４８ＧＰＢの相互間距離よりも若干小に設定されている。
【００９３】
また、ロック片部４２ＮＡと案内壁４２ａとの間、およびロック片部４２ＮＢと案内壁４２ａとの間には、スリット４２ＳＡおよび４２ＳＢが、図２２においてＺ座標軸方向に、それぞれ、貫通している。なお、図２２において、Ｘ座標軸は、スライダ４８の摺動方向に沿ってとり、Ｙ座標軸は、ロック片部４２ＮＡおよび４２ＮＢの先端部の弾性変位方向に沿ってとられている。Ｚ座標軸は、Ｘ座標軸およびＹ座標軸に対し直交する。
【００９４】
このようにスリット４２ＳＡおよび４２ＳＢが形成されることにより、ロック片部４２ＮＡおよび４２ＮＢが、より容易に弾性変位可能とされる。スライダ４８の爪部４８ＧＰＡおよび４８ＧＰＢの先端が、それぞれ、ロック片部４２ＮＡおよび４２ＮＢの先端部に係止される場合、仮にスライダ４８を引き抜く方向に力がスライダ４８に作用してもロック片部４２ＮＡおよび４２ＮＢの弾性力により、スライダ４８が簡単に抜ける虞がない。
【００９５】
インシュレータ付ハウジング４２の上面部の端部における中央部には、図１９および図２１に示されるように、シェル部材４０の係合片４０ＰＣの先端が係合される凹部４２Ｄが形成されている。
【００９６】
コンタクト端子４６ａｉは、図１３および図１９に拡大されて示されるように、例えば、りん青銅の薄板で作られ、インシュレータ付ハウジング４２のインシュレータ部４２Ｔの上面に形成される溝４２ｔｇに挿入されるコンタクトパッド部４６ＰＣと、上述の溝４２Ｓａｉに挿入される弾性片部４６ＫＣと、コンタクトパッド部４６ＰＣと弾性片部４６ＫＣとを連結する固定部４６Ｆとから構成される。
【００９７】
弾性片部４６ＫＣは、固定部４６Ｆの端部からその先端が下方に向けて折り曲げられている。その折り曲げられた部分の先端部分近傍には、フレキシブル配線基板１８のコンタクトパッド群１８ＣＰを構成する各コンタクトパッドに当接する接点部４６ｋｂが形成されている。
【００９８】
斯かる構成において、例えば、ＡＶ機器の内部に配されるレセプタクル４４におけるケーブル接続部４２Ａにフレキシブル配線基板１８の一端を接続するにあたっては、先ず、スライダ４８における操作部４８Ｆが、図１６、図１７、図１９および図２０に示されるように、シェル部材４０のハウジング支持部４０Ｒの端部から離隔した状態、即ち、スライダ４８が、アンロック状態とされ、図２８および図２９に示されるように、フレキシブル配線基板１８の一端がスライダ４８の押圧面４８ＰＳとコンタクト端子４６ａｉとの間に挿入される。
【００９９】
次に、図１４および図１５に示されるように、スライダ４８における操作部４８Ｆがコンタクト端子４６ａｉの弾性力に抗してシェル部材４０のハウジング支持部４０Ｒの端部に近接せしめられる。これにより、フレキシブル配線基板１８の一端が、スライダ４８の押圧面４８ＰＳとコンタクト端子４６ａｉの接点部４６ｋｂとの間で挟持されるのでスライダ４８は、レセプタクル４４に対しロック状態とされる。
【０１００】
一方、フレキシブル配線基板１８の一端を取り外すにあたっては、図２０に示されるように、スライダ４８がアンロック状態となるように操作部４８Ｆが引き離される。これにより、フレキシブル配線基板１８の一端がケーブル接続部４２Ａから引き抜き可能な状態となる。
【０１０１】
また、例えば、ＡＶ機器の外周部に露出したプラグ接続部のインシュレータ部４２Ｔにプラグの接続部を接続するにあたっては、その接続部とインシュレータ部４２Ｔとが、互いに相対向するように配された後、プラグの接続部がプラグ支持部４０Ｐの内側に挿入されることにより、プラグの接続部がインシュレータ部４２Ｔに接続される。その際、ロック片４０ＰＬが、それぞれ、接続部の窪みに係合されることにより、プラグの接続部がプラグ支持部４０Ｐにロック状態とされる。一方、プラグの接続部を取り外すにあたっては、プラグの接続部をインシュレータ部４２Ｔにからロック片４０ＰＬの弾性力に抗して引き抜くことにより、プラグが容易に取り外される。
【０１０２】
従って、本実施例においても、上述の第１実施例および第２実施例等における作用効果と同一の作用効果を奏することとなる。また、本実施例において、フレキシブル配線基板１８の一端が、スライダ４８により、直接的にレセプタクル４２のケーブル接続部４２Ａに接続されているが、必ずしもこのようになされる必要がなく、例えば、第１実施例乃至第３実施例のように、フレキシブル配線基板１８の一端が、アダプタ部を介して間接的にレセプタクル４２に接続されるように構成されてもよい。
【０１０３】
なお、第１実施例乃至第３実施例においては、フレキシブル配線基板の一端がアダプタ部を介して間接的にレセプタクルに接続されているが、斯かる例に限られることなく、第１実施例乃至第３実施例において、アダプタ部の代わりに、例えば、第４実施例に示されるような、スライダが設けられ、フレキシブル配線基板１８の一端が直接的にレセプタクルに接続されてもよい。
【図面の簡単な説明】
【０１０４】
【図１】本発明に係るＨＤＭＩ規格ケーブル用コネクタの第１実施例に用いられるレセプタクルの主な構成要素を示す分解斜視図である。
【図２】本発明に係るＨＤＭＩ規格ケーブル用コネクタの第１実施例の外観を示す斜視図である。
【図３】本発明に係るＨＤＭＩ規格ケーブル用コネクタの第１実施例の外観を示す斜視図である。
【図４】図１に示されるレセプタクルの平面図である。
【図５】図４に示される例における正面図である。
【図６】図４に示される例における側面図である。
【図７】図５におけるＶＩＩ−ＶＩＩ線に沿って示される断面図である。
【図８】図４に示される例における背面図である。
【図９】図４に示される例において用いられるインシュレータ付アダプタハウジングを示す斜視図である。
【図１０】本発明に係るＨＤＭＩ規格ケーブル用コネクタの第２実施例の外観を示す斜視図である。
【図１１】本発明に係るＨＤＭＩ規格ケーブル用コネクタの第２実施例の外観を示す斜視図である。
【図１２】本発明に係るＨＤＭＩ規格ケーブル用コネクタの第３実施例の外観を示す斜視図である。
【図１３】本発明に係るＨＤＭＩ規格ケーブル用コネクタの第４実施例の構成を示す分解斜視図である。
【図１４】本発明に係るＨＤＭＩ規格ケーブル用コネクタの第４実施例の外観をプラグ接続部側から見た状態を拡大して示す斜視図である。
【図１５】本発明に係るＨＤＭＩ規格ケーブル用コネクタの第４実施例の外観をケーブル接続部側から見た状態を拡大して示す斜視図である。
【図１６】本発明に係るＨＤＭＩ規格ケーブル用コネクタの第４実施例の動作説明に供される斜視図である。
【図１７】図１６に示される例における平面図である。
【図１８】図１７における正面図である。
【図１９】図１８におけるＸＩＸ−ＸＩＸ線に沿って示される断面図である。
【図２０】図１９におけるＸＸ−ＸＸ線に沿って示される断面図である。
【図２１】本発明に係るＨＤＭＩ規格ケーブル用コネクタの第４実施例に用いられるインシュレータ付ハウジング部材を示す平面図である。
【図２２】図２１における正面図である。
【図２３】図２２におけるＸＸＩＩＩ−ＸＸＩＩＩ線に沿って示される断面図である。
【図２４】本発明に係るＨＤＭＩ規格ケーブル用コネクタの第４実施例に用いられるスライダを示す平面図である。
【図２５】図２４に示される例における正面図である。
【図２６】図２４に示される例における側面図である。
【図２７】図２５におけるＸＸＶＩＩ−ＸＸＶＩＩ線に沿って示される断面図である。
【図２８】本発明に係るＨＤＭＩ規格ケーブル用コネクタの第４実施例の動作説明に供される斜視図である。
【図２９】本発明に係るＨＤＭＩ規格ケーブル用コネクタの第４実施例の動作説明に供される斜視図である。
【符号の説明】
【０１０５】
１０    プラグ
１０Ｐ    接続部
１２    ケーブル
１４，４４    レセプタクル
１６    アダプタ部
１８    フレキシブル配線基板
２０、３０，４０    シェル部材
２０Ｆ、３０Ｆ，４０Ｆ    フランジ部
２２    インシュレータ付アダプタハウジング
２２Ｔ    インシュレータ部
２４ａｉ、２６ａｉ、４６ａｉ    コンタクト端子
４２    インシュレータ付ハウジング
４８    スライダ
【図１】
2008270179.tif 000003
【図２】
2008270179.tif 000004
【図３】
2008270179.tif 000005
【図４】
2008270179.tif 000006
【図５】
2008270179.tif 000007
【図６】
2008270179.tif 000008
【図７】
2008270179.tif 000009
【図８】
2008270179.tif 000010
【図９】
2008270179.tif 000011
【図１０】
2008270179.tif 000012
【図１１】
2008270179.tif 000013
【図１２】
2008270179.tif 000014
【図１３】
2008270179.tif 000015
【図１４】
2008270179.tif 000016
【図１５】
2008270179.tif 000017
【図１６】
2008270179.tif 000018
【図１７】
2008270179.tif 000019
【図１８】
2008270179.tif 000020
【図１９】
2008270179.tif 000021
【図２０】
2008270179.tif 000022
【図２１】
2008270179.tif 000023
【図２２】
2008270179.tif 000024
【図２３】
2008270179.tif 000025
【図２４】
2008270179.tif 000026
【図２５】
2008270179.tif 000027
【図２６】
2008270179.tif 000028
【図２７】
2008270179.tif 000029
【図２８】
2008270179.tif 000030
【図２９】
2008270179.tif 000031